(57)【要約】【課題】防塵フィルターを着脱可能に構成すると共に、外観デザインの向上を図ったプロジェクターを提供する。【解決手段】プロジェクター１は、光源から射出された光束を画像情報に応じて変調して画像光を形成し、その画像光を投写する。プロジェクター１は、塵埃の通過を抑制し、着脱可能に配置される防塵フィルター４と、画像光が通過する投写用開口部２１１、および防塵フィルター４が着脱される挿入口２１２を有する外装筐体２と、投写用開口部２１１および挿入口２１２を開閉するレンズカバー５と、を備えている。【選択図】図１
2010217255.tif 000002
【特許請求の範囲】
【請求項１】
光源から射出された光束を画像情報に応じて変調して画像光を形成し、前記画像光を投写するプロジェクターであって、
塵埃の通過を抑制し、着脱可能に配置される防塵フィルターと、
前記画像光が通過する投写用開口部、および前記防塵フィルターが着脱される挿入口を有する外装筐体と、
前記投写用開口部および前記挿入口を開閉するレンズカバーと、
を備えていることを特徴とするプロジェクター。
【請求項２】
請求項１に記載のプロジェクターであって、
前記レンズカバーは、前記投写用開口部を開閉する第１カバー部および前記挿入口を開閉する第２カバー部を備え、
前記第１カバー部および前記第２カバー部は、いずれか一方が開閉されることに連動して他方が開閉することを特徴とするプロジェクター。
【請求項３】
請求項１または請求項２に記載のプロジェクターであって、
前記レンズカバーは、スライド移動されることによって、前記投写用開口部および前記挿入口を開閉することを特徴とするプロジェクター。
【請求項４】
請求項１〜請求項３のいずれか一項に記載のプロジェクターであって、
前記レンズカバーは、前記挿入口を閉じた際に、前記防塵フィルターと当接するように構成されていることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。プロジェクターは、企業内でのプレゼンテーションや、家庭内での映画鑑賞等の種々の用途に用いられている。
プロジェクターの光源は、その点灯に伴って、光源自身や内部の光学部品等の温度上昇を招き、それらの部品の性能や機能を低下させる虞がある。内部部品の温度上昇を抑制するために、多くのプロジェクターは、外装筐体に吸気口が設けられ、その吸気口から外気を取り入れて内部の部品を冷却している。その吸気口の内側には、外気に混在する塵埃が外装筐体内部に侵入しないように防塵フィルター（フィルター装置）が配置されている（例えば、特許文献１参照）。
【０００３】
特許文献１に記載のプロジェクターは、吸気口（第１開口部）および挿入部を有する外装筐体と、防塵フィルターとを備えている。挿入部は、プロジェクターの前面に配置される第２開口部と案内部とを有し、防塵フィルターは、この第２開口部から案内部に案内され、スライドされることによって挿入部に挿入される。
【先行技術文献】
【特許文献】
【０００４】
【特許文献１】特開２００９−３３１７号公報
【発明の概要】
【発明が解決しようとする課題】
【０００５】
しかしながら、特許文献１に記載のプロジェクターは、防塵フィルターおよび第２開口部の縁部がプロジェクターの前面に露出することによって、外観デザインが損ねたり、外観デザインの自由度が低下するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して画像光を形成し、前記画像光を投写するプロジェクターであって、塵埃の通過を抑制し、着脱可能に配置される防塵フィルターと、前記画像光が通過する投写用開口部、および前記防塵フィルターが着脱される挿入口を有する外装筐体と、前記投写用開口部および前記挿入口を開閉するレンズカバーと、を備えていることを特徴とする。
【０００８】
この構成によれば、防塵フィルターは、着脱可能に配置され、レンズカバーは、画像光が通過する投写用開口部、および防塵フィルターが着脱される挿入口を開閉可能に構成されている。つまり、プロジェクターは、使用されない際に、投写用開口部に加えて挿入口および防塵フィルターがレンズカバーによって覆われることが可能となる。これによって、プロジェクターは、防塵フィルターが適正に交換されることで、長期に亘って塵埃の侵入を抑制して外気を取り込み、外装筐体内を効率よく冷却できると共に、レンズカバーが閉じられた際に挿入口も覆われるため、プロジェクターの外観デザインの向上が図れる。
また、プロジェクターは、使用されない場合に、投写用開口部および挿入口が閉じられることで、投写用開口部の内側に配置された投写レンズが保護されると共に、投写用開口部および挿入口から外装筐体内への塵埃の侵入が抑制される。
【０００９】
［適用例２］上記適用例に係るプロジェクターにおいて、前記レンズカバーは、前記投写用開口部を開閉する第１カバー部および前記挿入口を開閉する第２カバー部を備え、前記第１カバー部および前記第２カバー部は、いずれか一方が開閉されることに連動して他方が開閉することが好ましい。
【００１０】
この構成によれば、レンズカバーは、第１カバー部および第２カバー部のいずれか一方が開閉されることに連動して他方が開閉する。例えば、第１カバー部によって投写用開口部が開閉されると、それに連動して第２カバー部が挿入口を開閉する。これによって、第１カバー部および第２カバー部が一体的に構成されている場合に比べて、レンズカバーの移動量を小さく構成できるので、プロジェクターは、大型化が抑制されて効率よくレンズカバーを配置することが可能となる。また、第１カバー部および第２カバー部が互いに異なる方向に開閉するように構成することが可能なので、投写用開口部と挿入口とが外装筐体の異なる面に形成されている場合にも、スペース効率よくレンズカバーを配置することが可能となる。
【００１１】
［適用例３］上記適用例に係るプロジェクターにおいて、前記レンズカバーは、スライド移動されることによって、前記投写用開口部および前記挿入口を開閉することが好ましい。
【００１２】
この構成によれば、使用者は、レンズカバーをスライドさせるだけで、投写用開口部および挿入口を開閉することができるので、利便性の向上が図れる。
また、簡素な構成でレンズカバーを形成してスライド移動させることが可能なので、プロジェクターは、製造工数や部品コストの増加を抑制してこのレンズカバーを搭載することが可能となる。
【００１３】
［適用例４］上記適用例に係るプロジェクターにおいて、前記レンズカバーは、前記挿入口を閉じた際に、前記防塵フィルターと当接するように構成されていることが好ましい。
【００１４】
この構成によれば、レンズカバーは、挿入口を閉じた際に、防塵フィルターと当接するように構成されているので、防塵フィルターが挿入口から抜け出ないように制止できる。よって、防塵フィルターは、レンズカバーが閉じられることで、プロジェクターが持ち運ばれた際等にも所定の位置に安定して配置され、確実に塵埃の侵入を抑制することが可能となる。
【図面の簡単な説明】
【００１５】
【図１】第１実施形態のプロジェクターの外観を示す斜視図。
【図２】第１実施形態のプロジェクターの概略構成を示す模式図。
【図３】第１実施形態のアッパーケースおよび開閉機構を分解した斜視図。
【図４】第１実施形態のプロジェクターのレンズカバー近傍を上方から見た模式図であり、（ａ）は、開放状態を示す図、（ｂ）は、閉塞状態を示す図。
【図５】第２実施形態のレンズカバーを前方から見た模式図。
【図６】第２実施形態のレンズカバーを前方から見た模式図であり、（ａ）は、開放状態から第１カバー部が右方に移動された状態を示す図、（ｂ）は、閉塞状態を示す図、（ｃ）は、閉塞状態から第１カバー部が左方に移動された状態を示す図。
【図７】第３実施形態のプロジェクターの模式図であり、開放状態におけるレンズカバー近傍を上方から見た図。
【発明を実施するための形態】
【００１６】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの外観を示す斜視図である。図２は、本実施形態のプロジェクターの概略構成を示す模式図である。なお、以下においては、説明の便宜上、プロジェクターから画像光が投写される方向を前方向（＋Ｙ方向）、Ｙ方向に直交し、図１の図面視における右側を右方向（＋Ｘ方向）、Ｘ方向およびＹ方向に直交し、図１の図面視における上側を上方向（＋Ｚ方向）として記載する。
【００１７】
図１、図２に示すように、プロジェクター１は、本体が外装筐体２で囲まれた構成になっている。そして、外装筐体２内には、制御部（図示せず）、光源３１１を有する光学ユニット３、着脱可能に配置された防塵フィルター４、開閉機構８、検知部としてのリーフスイッチ９、光源３１１や制御部に電力を供給する電源装置ＰＳ、およびプロジェクター１内部を冷却する冷却ファン（図示せず）等が配置されている。なお、説明の便宜上、図１において、外装筐体２から取り外された状態の防塵フィルター４を二点鎖線で示す。
【００１８】
外装筐体２は、合成樹脂製であり、図１に示すように、上部を構成するアッパーケース２１、下部を構成するロアーケース２２等を備えており、これらは、ネジ等により固定されている。
【００１９】
図１に示すように、アッパーケース２１の前面２１Ａには、前方（＋Ｙ方向）から見て矩形状に開口する投写用開口部２１１が形成されており、この投写用開口部２１１の内側には、光学ユニット３に備えられた投写レンズ３６が配置されている。そして、投写レンズ３６から射出された画像光は、この投写用開口部２１１を通過して前方に投写される。また、投写用開口部２１１の右方（＋Ｘ方向）には、上下方向（±Ｚ方向）が長手方向となるように開口する挿入口２１２が形成されている。挿入口２１２は、後述する防塵フィルター４が着脱可能に構成されている。
また、投写レンズ３６前方のアッパーケース２１の内側には、レンズカバー５を有する開閉機構８が配置されており、投写用開口部２１１および挿入口２１２は、このレンズカバー５が移動されることによって開閉される。開閉機構８については、後で詳細に説明する。
【００２０】
アッパーケース２１の上面２１Ｂには、投写用開口部２１１近傍に開口部２１３が形成されている。開口部２１３は、左右方向（±Ｘ方向）が長手方向となるスリット状に形成されており、この開口部２１３からレンズカバー５の操作部５５が突出している。アッパーケース２１の上面２１Ｂには、開口部２１３の後方（−Ｙ方向）に開口部２１４が形成されており、この開口部２１４から投写レンズ３６のフォーカス調整およびズーム調整の操作を行うレバーが露出している。
【００２１】
また、上面２１Ｂには、開口部２１４の後方に複数の開口部が設けられており、この開口部から操作パネル１０の各キーが露出している。操作パネル１０は、プロジェクター１の各種設定を行うためのメニュー画像の表示／非表示を切り換えるメニューキー、入力ソースを切り換えるソース切換えキー等、各種指示を行うための複数のキー等を備えている。
【００２２】
アッパーケース２１の右側の側面２１Ｃには、外気を取り込むための吸気口２１５が設けられている。吸気口２１５は、複数の矩形状の貫通孔で構成されており、挿入口２１２に連通して形成されている。吸気口２１５の内側には、挿入口２１２から装着された防塵フィルター４が配置される。そして、外装筐体２の内部は、この吸気口２１５から取り込まれ、防塵フィルター４を通過した空気によって冷却される。
図示は省略するが、アッパーケース２１の左側（−Ｘ側）の側面には、排気口が設けられており、光源３１１の点灯等によって温まった外装筐体２内の空気は、この排気口から外部に排出される。
【００２３】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２４】
光学ユニット３は、制御部による制御の下、光源３１１から射出された光束を光学的に処理し、画像情報に応じた画像光を形成して投写する。
光学ユニット３は、図２に示すように、光源装置３１、照明光学装置３２、色分離光学装置３３、リレー光学装置３４、電気光学装置３５、投写レンズ３６およびこれら各光学部品３１〜３６を所定位置に配置する光学部品用筐体３７を備える。
【００２５】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２６】
照明光学装置３２は、第１レンズアレイ３２１、第２レンズアレイ３２２、偏光変換素子３２３、重畳レンズ３２４を備え、光源３１１から射出された光束を後述する液晶パネル３５２の画像形成領域を略均一に照明するように光学的に処理する。
【００２７】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２８】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２９】
電気光学装置３５は、入射側偏光板３５１、光変調装置としての液晶パネル３５２、射出側偏光板３５３、色合成光学装置としてのクロスダイクロイックプリズム３５４を備え、色分離光学装置３３から射出された各色光を画像情報に応じて変調して画像光を形成する。
【００３０】
投写レンズ３６は、複数のレンズを組み合わせた組レンズとして構成され、電気光学装置３５にて形成された画像光をスクリーン上に拡大投写する。
【００３１】
防塵フィルター４について、詳細に説明する。
防塵フィルター４は、前述したように、挿入口２１２から装着されて吸気口２１５の内側に配置され、外装筐体２内に塵埃等が侵入することを抑制する。
防塵フィルター４は、図１に示すように、フィルター本体４１およびフィルター枠４２を有して構成されている。
【００３２】
フィルター本体４１は、通気性を有し、塵埃の通過を抑制する部材、例えば、ウレタンフォーム材等で外形が直方体状に形成されている。
フィルター枠４２は、合成樹脂製であり、フィルター本体４１の外周を保持するように平面視矩形の枠状に形成され、空気が通過する複数の貫通孔が設けられている。フィルター枠４２の外周面には、外側に向かって突出する把持部４２１が設けられている。フィルター本体４１は、外周縁部がフィルター枠４２に粘着剤を介して取り付けられている。なお、防塵フィルター４は、静電気を帯電させた高分子繊維をプリーツ状に加工した部材を合成樹脂で保持するように形成してもよい。
【００３３】
防塵フィルター４は、図１に示すように、フィルター本体４１が取り付けられている側が右方（＋Ｘ方向）を向き、把持部４２１が前方（＋Ｙ方向）を向く姿勢で挿入口２１２から後方（−Ｙ方向）に向かって挿入され、外装筐体２に装着される。そして、装着された防塵フィルター４は、前方に抜出されることによって取り出される。このように、防塵フィルター４は、前後方向（±Ｙ方向）にスライドされることによって外装筐体２に着脱される。
【００３４】
開閉機構８について詳細に説明する。
開閉機構８は、投写レンズ３６前方（＋Ｙ方向）のアッパーケース２１の内側に配置され、前述したように、投写用開口部２１１および挿入口２１２を開閉するように構成されている。
図３は、アッパーケース２１および開閉機構８を分解した斜視図である。
図３に示すように、開閉機構８は、レンズカバー５、フレーム６および付勢部７を備え、レンズカバー５が左右方向（±Ｘ方向）にスライド移動可能に構成されている。そして、レンズカバー５は、スライド移動されることによって、投写用開口部２１１および挿入口２１２を開放する開放状態と、投写用開口部２１１および挿入口２１２を閉塞する閉塞状態とに開閉される。
【００３５】
レンズカバー５は、画像光を遮蔽可能な合成樹脂製で、図３に示すように、閉塞部５１および上面部５２を有している。閉塞部５１は、前方（＋Ｙ方向）から見て矩形の板状に形成され、投写用開口部２１１および挿入口２１２を覆うことが可能な形状を有している。上面部５２は、閉塞部５１の上端部から後方（−Ｙ方向）に向かって突出して形成され、後側の端面には、前方（＋Ｙ方向）に窪む凹部５２Ａ，５２Ｂが形成されている。
【００３６】
凹部５２Ａ，５２Ｂは、上面部５２の右側、左側にそれぞれ設けられ、付勢部７と係合可能に形成されている。そして、レンズカバー５は、凹部５２Ａ，５２Ｂが付勢部７と係合されると開放状態、および閉塞状態にそれぞれ位置付けられる。また、上面部５２の右側には、上方（＋Ｚ方向）に突出する操作部５５が形成されている。レンズカバー５は、閉塞部５１がアッパーケース２１の前面部分の内側に対向し、操作部５５が開口部２１３に挿通されてアッパーケース２１の内側に配置される。
【００３７】
フレーム６は、アッパーケース２１の内側に配置され、アッパーケース２１との間でレンズカバー５を支持しつつ、レンズカバー５の移動を案内する部材である。フレーム６は、図３に示すように、上下方向（±Ｚ方向）に延出する前面部６１、および前面部６１の上端部から後方（−Ｙ方向）に延出する上面部６２を有し、側面視略Ｌ字状に形成されている。
前面部６１は、図３に示すように、前方（＋Ｙ方向）から見て矩形状の板体で構成され、右側には、投写用開口部２１１に対応する位置に貫通孔６１１が形成され、下端部には、前方（＋Ｙ方向）に突出する支持案内部６１２が設けられている。
上面部６２は、上方（＋Ｚ方向）から見て矩形状の板体で構成され、右側には、開口部２１４に対応する位置に貫通孔６１３が形成されている。また、上面部６２には、貫通孔６１３の左方に前後方向（±Ｙ方向）が長手方向となる直方体状の突起部６１４が設けられ、この突起部６１４には、後側に段差を有し、前側が開口する断面視半円形状の凹部６１５が形成されている。
【００３８】
フレーム６は、前面部６１がアッパーケース２１の前面部分の内側に対向し、上面部６２がアッパーケース２１の上面部分の内側に対向するように取り付けられる。そして、レンズカバー５は、アッパーケース２１とフレーム６との間で下端部が支持案内部６１２に当接して移動される。
【００３９】
付勢部７は、図３に示すように、スチールボール７１およびコイルバネ７２を備えている。スチールボール７１は、球状に形成され、レンズカバー５の凹部５２Ａ，５２Ｂと係合可能なサイズに形成されている。コイルバネ７２は、スチールボール７１を押圧可能な大きさに形成されている。付勢部７は、コイルバネ７２がスチールボール７１の後方に位置し、フレーム６の凹部６１５に配置される。
【００４０】
レンズカバー５は、上面部５２の後側端面がコイルバネ７２によって押圧されたスチールボール７１と当接して移動され、凹部５２Ａ，５２Ｂがスチールボール７１に係合されると、開放状態、および閉塞状態にそれぞれ位置付けられる。
【００４１】
リーフスイッチ９は、レンズカバー５が開放状態以外に位置付けられていることを検知し、検知した信号を制御部に出力する。リーフスイッチ９は、２つのリード片を有し、ノーマル状態において、２つのリード片が接触するノーマルクローズ型として構成され、図３に示すように、フレーム６の上面部６２左側に配置されている。リーフスイッチ９は、このノーマル状態において、オン状態となり、制御部に信号を出力し、一方のリード片が押圧されて２つのリード片が離間すると、オフ状態となって制御部への信号の出力を停止する。
【００４２】
ここで、レンズカバー５の動作について説明する。
レンズカバー５は、使用者によって操作部５５が操作され、スライド移動されることによって、開放状態および閉塞状態が切り換えられる。
図４は、プロジェクター１のレンズカバー５近傍を上方から見た模式図である。具体的に、図４（ａ）は、開放状態を示す図、図４（ｂ）は、閉塞状態を示す図である。なお、図４は、各構成要素を図面上で認識され得る程度の大きさとするため、各構成要素の寸法や比率を実際のものとは適宜異ならせてある。
【００４３】
レンズカバー５は、図４（ａ）に示すように、凹部５２Ａが付勢部７に係合する位置に移動されると、投写用開口部２１１の左方（−Ｘ方向）に位置付けられ、投写用開口部２１１および挿入口２１２が開放されて開放状態となる。そして、投写レンズ３６から投写された画像光は、投写用開口部２１１を通過して投写され、防塵フィルター４は、把持部４２１が挿入口２１２から露出し、着脱可能な状態となる。この開放状態において、リーフスイッチ９は、図４（ａ）に示すように、レンズカバー５の上面部５２の左側端部によって一方のリード片が押圧されてオフ状態となり、制御部への信号の出力が停止される。
【００４４】
一方、レンズカバー５は、図４（ｂ）に示すように、凹部５２Ｂが付勢部７に係合する位置に移動されると、閉塞部５１が投写用開口部２１１および挿入口２１２を閉塞する閉塞状態に位置付けられる。そして、投写レンズ３６から投写された画像光は、この閉塞部５１に遮蔽され、防塵フィルター４は、挿入口２１２と共にレンズカバー５によって覆われる。この閉塞状態において、リーフスイッチ９は、一方のリード片からレンズカバー５が離間することによって、２つのリード片が接触し、オン状態となって信号を制御装置に出力する。制御部は、リーフスイッチ９から信号が出力されると、例えば、光源装置３１の光量を低減したり、全黒の画像光を投写したりする制御を行う。また、レンズカバー５は、図４（ｂ）に示すように、閉塞状態において、閉塞部５１の後側の面が防塵フィルター４の把持部４２１と当接している。
このように、レンズカバー５は、左右方向（±Ｘ方向）にスライド移動されることによって、投写用開口部２１１および挿入口２１２を開閉する。
【００４５】
以上説明したように、本実施形態のプロジェクター１によれば、以下の効果を得ることができる。
（１）防塵フィルター４は、着脱可能に配置され、レンズカバー５は、投写用開口部２１１および挿入口２１２を開閉可能に構成されている。つまり、プロジェクター１は、使用されない際に、投写用開口部２１１に加えて挿入口２１２および防塵フィルター４がレンズカバー５によって覆われることが可能となる。これによって、プロジェクター１は、防塵フィルター４が適正に交換されることで、長期に亘って塵埃の侵入を抑制して外気を取り込み、外装筐体２内を効率よく冷却できると共に、レンズカバー５が閉じられた際に挿入口２１２も覆われるため、プロジェクター１の外観デザインの向上が図れる。
【００４６】
（２）プロジェクター１は、使用されない場合に、レンズカバー５が閉塞状態にされることで、投写レンズ３６が保護されると共に、投写用開口部２１１および挿入口２１２から外装筐体２内への塵埃の侵入が抑制される。
【００４７】
（３）使用者は、レンズカバー５をスライドさせるだけで、投写用開口部２１１および挿入口２１２を開閉することができるので、利便性の向上が図れる。
【００４８】
（４）レンズカバー５は、アッパーケース２１とフレーム６との間に配置されてスライド移動されるという簡素な構成なので、プロジェクター１は、製造工数や部品コストの増加を抑制してレンズカバー５を搭載することが可能となる。また、レンズカバー５をスライド移動させる方向と交差する方向には、広いスペースを要しないので、プロジェクター１の大型化の抑制が図れる。
【００４９】
（５）プロジェクター１は、リーフスイッチ９を備えているので、レンズカバー５の開放状態以外の位置を検知することができる。これによって、プロジェクター１は、使用されない際に、光源３１１の光量を低減して省電力化を図ったり、暗い画像光、例えば全黒の画像光を投写する状態にしてレンズカバー５の温度上昇の抑制を図ったりすることができる。
【００５０】
（６）レンズカバー５は、閉塞状態において、防塵フィルター４と当接するように構成されているので、防塵フィルター４が挿入口２１２から抜け出ないように制止できる。よって、防塵フィルター４は、プロジェクター１が持ち運ばれた際等にも所定の位置に安定して配置され、確実に塵埃の侵入を抑制することが可能となる。
【００５１】
（第２実施形態）
次に、第２実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態のレンズカバー５と構成の異なるレンズカバー５０を備えている。そして、レンズカバー５０は、第１実施形態のレンズカバー５と同様に、アッパーケース２１の内側に配置され、左右方向にスライド移動されることによって、開放状態と閉塞状態とに開閉されるように構成されている。
【００５２】
図５は、開放状態におけるレンズカバー５０を前方から見た模式図である。なお、図５は、各構成要素を図面上で認識され得る程度の大きさとするため、各構成要素の寸法や比率を実際のものとは適宜異ならせてある。
【００５３】
レンズカバー５０は、図５に示すように、投写用開口部２１１を開閉する第１カバー部５１０、および挿入口２１２を開閉する第２カバー部５２０を備えている。
第１カバー部５１０は、画像光を遮蔽可能な合成樹脂製で、図５に示すように、閉塞部５１１および連結部５１２を有している。
【００５４】
閉塞部５１１は、前方（＋Ｙ方向）から見て矩形の板状に形成され、投写用開口部２１１を覆うことが可能な形状を有している。閉塞部５１１の上端部は、後方（−Ｙ方向）に向けて板状に突出しており、後側の端面には、前方（＋Ｙ方向）に窪む凹部５１０Ａ，５１０Ｂが形成されている。凹部５１０Ａ，５１０Ｂは、右側、左側にそれぞれ設けられ、付勢部７と係合可能に形成されている。また、閉塞部５１１の上端部には、上方（＋Ｚ方向）に突出する操作部５１３が形成されている。
連結部５１２は、閉塞部５１１の右側下部から右方（＋Ｘ方向）に突出して板状に形成され、先端近傍には前方（＋Ｙ方向）に突出する円柱状のガイドピン５１４が設けられている。
【００５５】
第２カバー部５２０は、合成樹脂製で、図５に示すように、平面視矩形の板状に形成され、挿入口２１２を覆うことが可能な形状を有し、下部には、左右方向（±Ｘ方向）が長手方向となるガイド孔５２１が形成されている。ガイド孔５２１は、第１カバー部５１０のガイドピン５１４が挿入され、ガイドピン５１４が左右方向に所定の距離摺動可能な大きさに形成されている。
【００５６】
第２カバー部５２０は、図５に示すように、ガイド孔５２１にガイドピン５１４が挿入されて第１カバー部５１０の右方（＋Ｘ方向）に配置される。そして、レンズカバー５０は、ガイド孔５２１にガイドピン５１４が挿入された状態で、閉塞部５１１がアッパーケース２１の前面部分の内側に対向し、操作部５１３が開口部２１３に挿通されてアッパーケース２１の内側に配置される。
【００５７】
レンズカバー５０は、第１カバー部５１０の凹部５１０Ａが付勢部７に係合されると、図５に示すように、第１カバー部５１０が投写用開口部２１１の左方（−Ｘ方向）に配置され、第２カバー部５２０が投写用開口部２１１と挿入口２１２との間に配置されて開放状態に位置付けられる。この開放状態において、第２カバー部５２０は、ガイド孔５２１の左側の内面がガイドピン５１４と当接し、左側の端面がロアーケース２２に設けられた突起部２２１と僅かに離間して配置され、左右の移動が規制されて挿入口２１２を開放する状態が保持される。
【００５８】
ここで、レンズカバー５０の動作について説明する。
レンズカバー５０は、第１カバー部５１０が左右方向（±Ｘ方向）にスライド移動されることによって、投写用開口部２１１を開閉すると共に、第２カバー部５２０を連動させて挿入口２１２を開閉する。具体的に、第２カバー部５２０は、第１カバー部５１０が移動されてガイドピン５１４がガイド孔５２１の左右の内面に当接することによって第１カバー部５１０に牽引されて移動する。
図６は、レンズカバー５０を前方から見た模式図である。具体的に、図６（ａ）は、開放状態から第１カバー部５１０が右方（＋Ｘ方向）に移動された状態を示す図、図６（ｂ）は、閉塞状態を示す図、図６（ｃ）は、閉塞状態から第１カバー部５１０が左方（−Ｘ方向）に移動された状態を示す図である。なお、図６は、各構成要素を図面上で認識され得る程度の大きさとするため、各構成要素の寸法や比率を実際のものとは適宜異ならせてある。
【００５９】
レンズカバー５０は、開放状態から操作部５１３が操作されて右方に移動されると、第１カバー部５１０は、ガイドピン５１４がガイド孔５２１に案内されて移動し、図６（ａ）に示すように、ガイドピン５１４がガイド孔５２１の右側の内面と当接する。さらに、第１カバー部５１０が右方に移動されると、第２カバー部５２０は、ガイドピン５１４に押されて第１カバー部５１０と共に移動される。そして、レンズカバー５０は、第１カバー部５１０の凹部５１０Ｂが付勢部７に係合される位置まで移動されると、図６（ｂ）に示すように、閉塞状態に位置付けられる。この閉塞状態において、第２カバー部５２０は、ガイド孔５２１の右側の内面がガイドピン５１４と当接し、右側の端面がロアーケース２２に設けられた突起部２２２と僅かに離間して配置され、左右の移動が規制されて挿入口２１２を閉塞する状態が保持される。
【００６０】
一方、レンズカバー５０は、閉塞状態から操作部５１３が操作されて左方に移動されると、第１カバー部５１０は、ガイドピン５１４がガイド孔５２１に案内されて移動し、図６（ｃ）に示すように、ガイドピン５１４がガイド孔５２１の左側の内面と当接する。さらに、第１カバー部５１０が左方に移動されると、第２カバー部５２０は、ガイドピン５１４に牽引されて第１カバー部５１０と共に移動される。そして、レンズカバー５０は、第１カバー部５１０の凹部５１０Ａが付勢部７に係合される位置まで移動されると、図５に示すように、開放状態に位置付けられる。
このように、レンズカバー５０は、投写用開口部２１１を開閉する第１カバー部５１０、および挿入口２１２を開閉する第２カバー部５２０を備え、第１カバー部５１０が開閉されることに連動して第２カバー部５２０が開閉する。
【００６１】
以上説明したように、本実施形態のプロジェクター１によれば、第１実施形態の効果に加えて、以下の効果を得ることができる。
（１）レンズカバー５０は、第１カバー部５１０が開閉されることに連動して第２カバー部５２０が開閉される。これによって、第１カバー部５１０および第２カバー部５２０が一体的に構成されている場合に比べて、レンズカバー５０の移動量を小さく構成できるので、プロジェクター１は、大型化が抑制されて効率よくレンズカバー５０を配置することが可能となる。
【００６２】
（２）レンズカバー５０は、第１カバー部５１０、および第２カバー部５２０を備えているので、それぞれを容易に異なる外観に形成できる。これによって、プロジェクター１は、閉塞状態における外観デザインの自由度が高められる。
【００６３】
（第３実施形態）
次に、第３実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、挿入口２１２が上面２１Ｂに形成され、防塵フィルター４が外装筐体２の上方（＋Ｚ方向）から着脱されるように構成されている。また、本実施形態のプロジェクター１は、第１実施形態のレンズカバー５と構成の異なるレンズカバー５００を備えている。
レンズカバー５００は、投写用開口部２１１を開閉する第１カバー部５１００、および挿入口２１２を開閉する第２カバー部５２００を備えている。そして、レンズカバー５００は、第１カバー部５１００が左右方向（±Ｘ方向）に移動されることに連動して第２カバー部５２００が回転し、開放状態と閉塞状態とに開閉されるように構成されている。
【００６４】
図７は、本実施形態のプロジェクター１の模式図であり、開放状態におけるレンズカバー５００近傍を上方から見た図である。なお、図７は、各構成要素を図面上で認識され得る程度の大きさとするため、各構成要素の寸法や比率を実際のものとは適宜異ならせてある。
第１カバー部５１００は、上下方向に延出する前面部、および前面部の上端から後方に延出する上面部を有している。第１カバー部５１００の前面部は、図７に示すように、閉塞部５１１０および貫通孔５１２０を有している。閉塞部５１１０は、投写用開口部２１１を閉塞可能な形状を有しており、貫通孔５１２０は、閉塞部５１１０の右方に設けられ、投写用開口部２１１より僅かに大きな形状に形成されている。第１カバー部５１００の上面部には、第２カバー部５２００を回転させるためのスリット状の案内溝５１３０が形成されている。そして、第１カバー部５１００は、前面部がアッパーケース２１の前面部分の内側に対向するように配置され、上面部がアッパーケース２１の上面部分の内側に対向するように配置される。
【００６５】
第２カバー部５２００は、長尺状の板体で形成され、一端近傍には、円柱状に突出するガイドピン５２２０が形成されている。第２カバー部５２００は、ガイドピン５２２０が第１カバー部５１００の案内溝５１３０に挿入され、アッパーケース２１に形成された中心軸５２１０に他端近傍が回転可能に支持されてアッパーケース２１の上面部分の内側に配置されている。
【００６６】
レンズカバー５００は、図７に示すように、開放状態において、第１カバー部５１００の貫通孔５１２０が投写用開口部２１１の位置と略一致し、第２カバー部５２００が挿入口２１２の左方に位置するように配置される。また、開放状態において、ガイドピン５２２０は、案内溝５１３０の右側に位置している。
そして、レンズカバー５００は、開放状態から第１カバー部５１００が右方（＋Ｘ方向）に移動されると、閉塞部５１１０が投写用開口部２１１を閉塞し、第２カバー部５２００は、ガイドピン５２２０が案内溝５１３０の右側から左側に沿って移動することによって図７の図面視において反時計回りに回転し、挿入口２１２を閉塞する（図７において二点鎖線で示す）。
【００６７】
一方、レンズカバー５００は、閉塞状態から第１カバー部５１００が左方（−Ｘ方向）に移動されると、第２カバー部５２００は、ガイドピン５２２０が案内溝５１３０の左側から右側に沿って移動することによって図７の図面視において時計回りに回転し、図７に示すように、開放状態となる。
【００６８】
このように、レンズカバー５００は、第１カバー部５１００が左右方向（±Ｘ方向）にスライド移動されることによって、投写用開口部２１１を開閉すると共に、第２カバー部５２００を連動して回転させ、挿入口２１２を開閉する。つまり、レンズカバー５００は、第１カバー部５１００および第２カバー部５２００が互いに異なる方向に移動することによって、投写用開口部２１１および挿入口２１２を開閉する。
【００６９】
以上説明したように、本実施形態のプロジェクター１によれば、第１実施形態および第２実施形態の効果に加えて、以下の効果を得ることができる。
（１）レンズカバー５００は、第１カバー部５１００および第２カバー部５２００が互いに異なる方向に開閉するように構成されているので、プロジェクター１は、投写用開口部２１１と挿入口２１２とが外装筐体２の異なる面に形成されている場合にも、スペース効率よくレンズカバー５００を配置することが可能となる。
【００７０】
（変形例）
なお、前記実施形態は、以下のように変更してもよい。
前記各実施形態においてレンズカバー５，５０，５００は外装筐体２の内側に配置されていたが、レンズカバー５、５０、５００を外装筐体２の外側に配置しても良い。
【００７１】
第２実施形態および第３実施形態のレンズカバー５０，５００は、第１カバー部５１０，５１００が移動されることに連動して第２カバー部５２０，５２００が移動するように構成されているが、操作部を第２カバー部５２０，５２００に設け、第２カバー部５２０，５２００が移動されることに連動して第１カバー部５１０，５１００が移動するように構成してもよい。
【００７２】
第３実施形態のレンズカバー５００は、第１カバー部５１００が左右方向に移動されることに連動して第２カバー部５２００が回転されるように構成されているが、第１カバー部５１００が左右方向に移動されることに連動して第２カバー部５２００が前後方向に移動するように構成してもよい。また、このレンズカバー５００は、挿入口２１２が外装筐体２の底面に形成された場合にも適用できる。
【００７３】
前記実施形態のレンズカバー５，５０，５００は、手動操作によって移動するように構成されているが、モーター等を用いて電動によって移動するように構成してもよい。
【００７４】
前記実施形態の検知部は、リーフスイッチ９に限らず、フォトセンサーや磁気センサー等を用いてもよい。
【００７５】
前記実施形態のプロジェクター１は、光変調装置として透過型の液晶パネル３５２を用いているが、反射型液晶パネルを利用したものであってもよい。また、光変調装置は、マイクロミラーアレイを用いたデバイス等を使用したものであってもよい。
【００７６】
光源３１１は放電型のランプに限らず、その他の方式のランプや発光ダイオード等の固体光源で構成してもよい。
【符号の説明】
【００７７】
１…プロジェクター、２…外装筐体、３…光学ユニット、４…防塵フィルター、５，５０，５００…レンズカバー、８…開閉機構、２１…アッパーケース、３１…光源装置、３６…投写レンズ、２１１…投写用開口部、２１２…挿入口、２１５…吸気口、３１１…光源、３５２…液晶パネル、５１０，５１００…第１カバー部、５２０，５２００…第２カバー部。
【図１】
2010217255.tif 000003
【図２】
2010217255.tif 000004
【図３】
2010217255.tif 000005
【図４】
2010217255.tif 000006
【図５】
2010217255.tif 000007
【図６】
2010217255.tif 000008
【図７】
2010217255.tif 000009